(57)【要約】【課題】メニュー項目の選択操作における煩わしさや、メニュー項目の選択における指の疲れを解消し、メニュー項目を選択する際の操作性を効率良く高める。【解決手段】本装置１０は、表示部２０の第１表示領域２１に表示するメニュー画面３１上において指定した位置情報を取得し、この位置情報に基づいてメニュー項目情報を特定する。また、このメニュー項目情報に基づいて詳細情報を特定し、抽出し、この詳細情報を表示部の第２表示領域２２に出力する。さらに、位置情報の取得後、その指定状態を解消することなく維持していることを示す指定維持情報を取得する。そして、この指定維持情報の取得に応じ、現在指定している位置情報を再取得し、再取得した位置情報に基づいてメニュー項目情報を再特定する。その後、再特定したメニュー項目情報が変更されたとき、詳細情報を再特定し、再抽出し、この詳細情報を表示部の第２表示領域に再出力する。【選択図】図２
2009258930.tif 000002
【特許請求の範囲】
【請求項１】
少なくとも２以上の表示領域を備える表示部の第１表示領域に、複数のメニュー項目を備えるメニュー画面を表示すると共に、前記表示部の第２表示領域に、前記メニュー画面に含まれるメニュー項目の何れかの内容を示す詳細情報を表示する情報表示装置であって、
表示部上での位置情報と、前記表示部における第１表示領域に表示するメニュー画面において選択されたメニュー項目を示すメニュー項目情報と、を互いに関連付けて記憶する第１記憶手段と、
メニュー項目情報と、このメニュー項目の内容を示す詳細情報と、を互いに関連付けて記憶する第２記憶手段と、
前記表示部の第１表示領域に表示された前記メニュー画面上において指定された位置情報を取得する指定位置情報取得手段と、
前記指定位置情報取得手段で取得した位置情報に基づき、前記第１記憶手段を参照してメニュー項目情報を特定するメニュー項目情報特定手段と、
前記メニュー項目情報特定手段で特定したメニュー項目情報に基づき、前記第２記憶手段を参照して詳細情報を特定し、抽出する詳細情報特定手段と、
前記詳細情報特定手段で抽出した詳細情報を前記表示部における第２表示領域に出力する詳細情報出力手段と、
前記指定位置情報取得手段での位置情報の取得後、その指定状態を解消することなく維持していることを示す指定維持情報を取得する指定維持情報取得手段と、
を備え、
前記指定位置情報取得手段は、前記指定維持情報取得手段での指定維持情報の取得に応じ、現在指定されている位置情報を再取得し、
前記メニュー項目情報特定手段は、前記指定位置情報取得手段で再取得した位置情報に基づき、前記第１記憶手段を参照してメニュー項目情報を再特定し、
前記詳細情報特定手段は、前記メニュー項目情報特定手段で再特定したメニュー項目情報が変更されているとき、前記第２記憶手段を参照して詳細情報を再特定し、再抽出し、
前記詳細情報出力手段は、前記詳細情報特定手段で再抽出した詳細情報を前記表示部における第２表示領域に再出力する、
ことを特徴とする情報表示装置。
【請求項２】
前記指定位置情報取得手段は、前記メニュー画面上への接触の検知を前記指定として位置情報を取得又は再取得する、
ことを特徴とする請求項１に記載の情報表示装置。
【請求項３】
前記指定位置情報取得手段は、前記メニュー画面上でのカーソルによるドラッグ情報の入力を前記指定として位置情報を取得又は再取得する、
ことを特徴とする請求項１に記載の情報表示装置。
【請求項４】
表示部上での位置情報と、前記表示部における第１表示領域に表示するメニュー画面において選択されたメニュー項目を示すメニュー項目情報と、を互いに関連付けて記憶する第１記憶手段と、メニュー項目情報と、このメニュー項目の内容を示す詳細情報と、を互いに関連付けて記憶する第２記憶手段と、を備え、情報表示装置において、少なくとも２以上の表示領域を備える表示部の第１表示領域に、複数のメニュー項目を備えるメニュー画面を表示すると共に、前記表示部の第２表示領域に、前記メニュー画面に含まれるメニュー項目の何れかの内容を示す詳細情報を表示する情報表示方法であって、
前記情報表示装置が、前記表示部の第１表示領域に表示された前記メニュー画面上において指定された位置情報を取得する第１ステップと、
前記情報表示装置において、前記第１ステップで取得した位置情報に基づき、前記第１記憶手段を参照してメニュー項目情報を特定する第２ステップと、
前記情報表示装置において、前記第２ステップで特定したメニュー項目情報に基づき、前記第２記憶手段を参照して詳細情報を特定し、抽出する第３ステップと、
前記第３ステップで抽出した詳細情報を、前記情報表示装置から前記表示部における第２表示領域に出力する第４ステップと、
前記情報表示装置において、前記第１ステップでの位置情報の取得後、その指定状態を解消することなく維持していることを示す指定維持情報を取得する第５ステップと、
前記情報表示装置において、前記第５ステップでの指定維持情報の取得に応じ、現在指定されている位置情報を再取得する第６ステップと、
前記情報表示装置において、前記第６ステップで再取得した位置情報に基づき、前記第１記憶手段を参照してメニュー項目情報を再特定する第７ステップと、
前記情報表示装置において、前記第７ステップで再特定したメニュー項目情報が変更されているとき、前記第２記憶手段を参照して詳細情報を再特定し、再抽出する第８ステップと、
前記第８ステップで再抽出した詳細情報を、前記情報表示装置から前記表示部における第２表示領域に再出力する第９ステップと、
を含んだことを特徴とする情報表示方法。
【請求項５】
前記第１ステップは、前記メニュー画面上への接触の検知を前記指定として位置情報を取得し、
前記第６ステップは、前記メニュー画面上への接触の検知を前記指定として位置情報を再取得する、
ことを特徴とする請求項４に記載の情報表示方法。
【請求項６】
前記第１ステップは、前記メニュー画面上でのカーソルによるドラッグ情報の入力を前記指定として位置情報を取得し、
前記第６ステップは、前記メニュー画面上でのカーソルによるドラッグ情報の入力を前記指定として位置情報を再取得する、
ことを特徴とする請求項４に記載の情報表示方法。
【請求項７】
表示部上での位置情報と、前記表示部における第１表示領域に表示するメニュー画面において選択されたメニュー項目を示すメニュー項目情報と、を互いに関連付けて記憶する第１記憶手段と、メニュー項目情報と、このメニュー項目の内容を示す詳細情報と、を互いに関連付けて記憶する第２記憶手段と、を備え、少なくとも２以上の表示領域を備える表示部の第１表示領域に、複数のメニュー項目を備えるメニュー画面を表示すると共に、前記表示部の第２表示領域に、前記メニュー画面に含まれるメニュー項目の何れかの内容を示す詳細情報を表示することを実行させるためにコンピュータを、
前記表示部の第１表示領域に表示された前記メニュー画面上において指定された位置情報を取得する手段、
取得した前記位置情報に基づき、前記第１記憶手段を参照してメニュー項目情報を特定する手段、
特定した前記メニュー項目情報に基づき、前記第２記憶手段を参照して詳細情報を特定し、抽出する手段、
抽出した前記詳細情報を前記表示部における第２表示領域に出力する手段、
前記位置情報の取得後、その指定状態を解消することなく維持していることを示す指定維持情報を取得する手段、
前記指定維持情報の取得に応じ、現在指定されている位置情報を再取得する手段、
再取得した前記位置情報に基づき、前記第１記憶手段を参照してメニュー項目情報を再特定する手段、
再特定した前記メニュー項目情報が変更されているとき、前記第２記憶手段を参照して詳細情報を再特定し、再抽出する手段、
再抽出した前記詳細情報を前記表示部における第２表示領域に再出力する手段、
として機能させることを特徴とするコンピュータプログラム。
【請求項８】
前記コンピュータを、
前記メニュー画面上への接触の検知を前記指定として位置情報を取得又は再取得する手段、
としてさらに機能させることを特徴とする請求項５に記載のコンピュータプログラム。
【請求項９】
前記コンピュータを、
前記メニュー画面上でのカーソルによるドラッグ情報の入力を前記指定として位置情報を取得又は再取得する手段、
としてさらに機能させることを特徴とする請求項７に記載のコンピュータプログラム。
【発明の詳細な説明】
【技術分野】
【０００１】
本発明は、タッチパネル式またはポインタ選択式ユーザインタフェースにおける画面遷移技術に係り、詳しくは、表示部に表示されたメニューリストの中から選択されたメニュー項目に応じた詳細情報をこの表示部に表示する場合において、メニュー項目を選択する際の操作性を効率良く高めるようにした情報表示装置、情報表示方法、及び情報表示用のコンピュータプログラムに関する。
【背景技術】
【０００２】
情報表示装置の一つとしては、たとえばロードサイドの施設や店舗といったＰＯＩ（Point Of Interest）の詳細情報を提供するカーナビゲーション装置（以下、「カーナビ」という。）がある。このカーナビでは、たとえばＰＯＩの名称をメニュー項目として複数含むメニューリストを表示し、このメニューリストの中からユーザが選択したメニュー項目に応じて、そのＰＯＩが存在する場所の周辺地図や、そのＰＯＩの住所、電話番号、紹介記事等を、詳細情報として表示している。
【０００３】
このような情報表示装置においては、表示部に表示されたメニューリストの中から所望のメニュー項目上を指でタッチ又はマウスを用いてクリック等して選択することで、今まで表示されていたメニューリストに変って、選択されたメニュー項目に応じた詳細情報を表示部に表示し、その内容を確認することができるものとなっている。
したがって、各メニュー項目に応じた詳細情報を順番に表示させる場合、メニューリストにおいてメニュー項目を指でタッチ又はマウスを用いてクリック等して選択し、表示部に詳細情報が表示された後、「戻る」ボタンで一旦メニューリストを表示させる画面に戻り、再度メニュー項目を選択する必要があった。
【０００４】
ところが、一つずつメニュー項目を選択して詳細情報を表示させた後でないと、意図した内容であるか否かわからないのでは、選択をやり直さなければならない場合があり煩わしいものであった。すなわち、ユーザにはメニュー項目を選択するか否か、その詳細情報を見てから決めたいといった要望があるが、メニュー項目の選択操作の点において煩わしさがあった。
しかも、このようにメニュー項目の選択において、画面のタッチやマウスでのクリックを何度も行なうのは、指が疲れるものである。
【０００５】
そこで、メニュー項目を選択する際の操作を容易に行なうことができるようにした手段が、いくつか提案されている。
たとえば、所定の座標範囲に設定されたメニュー項目のサブメニュー上を入力手段により引きずり移動しながらサブメニュー上に設定されたサブメニュー項目から抜けたことを検出した場合、当該サブメニュー項目に登録された機能と同等の機能を持つワンタッチボタンを表示手段上に表示するものが知られている（たとえば、特許文献１を参照）。
また、座標に割り当てられたスイッチによるコマンド実行を目的とした通常の操作系か、画面に表示されている情報とは無関係な操作系かを、タッチの回数、間隔、座標を判断材料に判断し、両操作系を共存させるものが知られている（たとえば、特許文献２を参照）。
【特許文献１】特開２００１−２８２４０５号公報
【特許文献２】特開２００６−２１９０３０号公報
【発明の開示】
【発明が解決しようとする課題】
【０００６】
しかしながら、上記特許文献１及び２に記載されたものはいずれも、メニュー項目に応じた詳細情報の確認のために、メニュー項目を一つずつ指でクリックして選択しなければならず、メニュー項目の選択操作の点においての煩わしさや、メニュー項目の選択における指の疲れを解消することができるものではない。
このように、表示部に表示されたメニューリストの中から選択されたメニュー項目に応じた詳細情報をこの表示部に表示する場合において、メニュー項目の選択操作における煩わしさや、メニュー項目の選択における指の疲れを解消し、メニュー項目を選択する際の操作性を効率良く高めるようにした手段は、現在のところ提案されていない。
【０００７】
本発明は、上記事情に鑑みて成されたものであり、メニュー項目の選択操作における煩わしさや、メニュー項目の選択における指の疲れを解消し、メニュー項目を選択する際の操作性を効率良く高めることが可能な仕組みを提供することを目的とする。
【課題を解決するための手段】
【０００８】
本発明の情報表示装置は、少なくとも２以上の表示領域を備える表示部の第１表示領域に、複数のメニュー項目を備えるメニュー画面を表示すると共に、前記表示部の第２表示領域に、前記メニュー画面に含まれるメニュー項目の何れかの内容を示す詳細情報を表示する情報表示装置であって、表示部上での位置情報と、前記表示部における第１表示領域に表示するメニュー画面において選択されたメニュー項目を示すメニュー項目情報と、を互いに関連付けて記憶する第１記憶手段と、メニュー項目情報と、このメニュー項目の内容を示す詳細情報と、を互いに関連付けて記憶する第２記憶手段と、前記表示部の第１表示領域に表示された前記メニュー画面上において指定された位置情報を取得する指定位置情報取得手段と、前記指定位置情報取得手段で取得した位置情報に基づき、前記第１記憶手段を参照してメニュー項目情報を特定するメニュー項目情報特定手段と、前記メニュー項目情報特定手段で特定したメニュー項目情報に基づき、前記第２記憶手段を参照して詳細情報を特定し、抽出する詳細情報特定手段と、前記詳細情報特定手段で抽出した詳細情報を前記表示部における第２表示領域に出力する詳細情報出力手段と、前記指定位置情報取得手段での位置情報の取得後、その指定状態を解消することなく維持していることを示す指定維持情報を取得する指定維持情報取得手段と、を備え、前記指定位置情報取得手段は、前記指定維持情報取得手段での指定維持情報の取得に応じ、現在指定されている位置情報を再取得し、前記メニュー項目情報特定手段は、前記指定位置情報取得手段で再取得した位置情報に基づき、前記第１記憶手段を参照してメニュー項目情報を再特定し、前記詳細情報特定手段は、前記メニュー項目情報特定手段で再特定したメニュー項目情報が変更されているとき、前記第２記憶手段を参照して詳細情報を再特定し、再抽出し、前記詳細情報出力手段は、前記詳細情報特定手段で再抽出した詳細情報を前記表示部における第２表示領域に再出力する、ことを特徴とする。
【０００９】
また、本発明の情報表示装置は、前記指定位置情報取得手段が、前記メニュー画面上への接触の検知を前記指定として位置情報を取得又は再取得するものとしても良い。
【００１０】
また、本発明の情報表示装置は、前記指定位置情報取得手段が、前記メニュー画面上でのカーソルによるドラッグ情報の入力を前記指定として位置情報を取得又は再取得するものとしても良い。
【００１１】
また、本発明の情報表示方法は、表示部上での位置情報と、前記表示部における第１表示領域に表示するメニュー画面において選択されたメニュー項目を示すメニュー項目情報と、を互いに関連付けて記憶する第１記憶手段と、メニュー項目情報と、このメニュー項目の内容を示す詳細情報と、を互いに関連付けて記憶する第２記憶手段と、を備え、情報表示装置において、少なくとも２以上の表示領域を備える表示部の第１表示領域に、複数のメニュー項目を備えるメニュー画面を表示すると共に、前記表示部の第２表示領域に、前記メニュー画面に含まれるメニュー項目の何れかの内容を示す詳細情報を表示する情報表示方法であって、前記情報表示装置が、前記表示部の第１表示領域に表示された前記メニュー画面上において指定された位置情報を取得する第１ステップと、前記情報表示装置において、前記第１ステップで取得した位置情報に基づき、前記第１記憶手段を参照してメニュー項目情報を特定する第２ステップと、前記情報表示装置において、前記第２ステップで特定したメニュー項目情報に基づき、前記第２記憶手段を参照して詳細情報を特定し、抽出する第３ステップと、前記第３ステップで抽出した詳細情報を、前記情報表示装置から前記表示部における第２表示領域に出力する第４ステップと、前記情報表示装置において、前記第１ステップでの位置情報の取得後、その指定状態を解消することなく維持していることを示す指定維持情報を取得する第５ステップと、前記情報表示装置において、前記第５ステップでの指定維持情報の取得に応じ、現在指定されている位置情報を再取得する第６ステップと、前記情報表示装置において、前記第６ステップで再取得した位置情報に基づき、前記第１記憶手段を参照してメニュー項目情報を再特定する第７ステップと、前記情報表示装置において、前記第７ステップで再特定したメニュー項目情報が変更されているとき、前記第２記憶手段を参照して詳細情報を再特定し、再抽出する第８ステップと、前記第８ステップで再抽出した詳細情報を、前記情報表示装置から前記表示部における第２表示領域に再出力する第９ステップと、を含んだことを特徴とする。
【００１２】
また、本発明の情報表示方法は、前記第１ステップが、前記メニュー画面上への接触の検知を前記指定として位置情報を取得し、前記第６ステップが、前記メニュー画面上への接触の検知を前記指定として位置情報を再取得するものとしても良い。
【００１３】
また、本発明の情報表示方法は、前記第１ステップが、前記メニュー画面上でのカーソルによるドラッグ情報の入力を前記指定として位置情報を取得し、前記第６ステップが、前記メニュー画面上でのカーソルによるドラッグ情報の入力を前記指定として位置情報を再取得するものとしても良い。
【００１４】
また、本発明のコンピュータプログラムは、表示部上での位置情報と、前記表示部における第１表示領域に表示するメニュー画面において選択されたメニュー項目を示すメニュー項目情報と、を互いに関連付けて記憶する第１記憶手段と、メニュー項目情報と、このメニュー項目の内容を示す詳細情報と、を互いに関連付けて記憶する第２記憶手段と、を備え、少なくとも２以上の表示領域を備える表示部の第１表示領域に、複数のメニュー項目を備えるメニュー画面を表示すると共に、前記表示部の第２表示領域に、前記メニュー画面に含まれるメニュー項目の何れかの内容を示す詳細情報を表示することを実行させるためにコンピュータを、前記表示部の第１表示領域に表示された前記メニュー画面上において指定された位置情報を取得する手段、取得した前記位置情報に基づき、前記第１記憶手段を参照してメニュー項目情報を特定する手段、特定した前記メニュー項目情報に基づき、前記第２記憶手段を参照して詳細情報を特定し、抽出する手段、抽出した前記詳細情報を前記表示部における第２表示領域に出力する手段、前記位置情報の取得後、その指定状態を解消することなく維持していることを示す指定維持情報を取得する手段、前記指定維持情報の取得に応じ、現在指定されている位置情報を再取得する手段、再取得した前記位置情報に基づき、前記第１記憶手段を参照してメニュー項目情報を再特定する手段、再特定した前記メニュー項目情報が変更されているとき、前記第２記憶手段を参照して詳細情報を再特定し、再抽出する手段、再抽出した前記詳細情報を前記表示部における第２表示領域に再出力する手段、として機能させることを特徴とする。
【００１５】
また、本発明のコンピュータプログラムは、前記コンピュータを、前記メニュー画面上への接触の検知を前記指定として位置情報を取得又は再取得する手段としてさらに機能させるものとしても良い。
【００１６】
また、本発明のコンピュータプログラムは、前記コンピュータを、前記メニュー画面上でのカーソルによるドラッグ情報の入力を前記指定として位置情報を取得又は再取得する手段としてさらに機能させるものとしても良い。
【発明の効果】
【００１７】
本発明の情報表示装置は、表示部の第１表示領域に表示されたメニュー画面上において指定された位置情報の取得後、その指定状態を解消することなく維持していることを示す指定維持情報を取得する手段を備える。ゆえに、メニュー項目に応じた詳細情報の確認のために、メニューリストにおいて所望のメニュー項目を一つずつ指でクリックして選択すること無く、指定維持情報の取得に応じ、現在指定されている位置情報を再取得することができる。そして、この位置情報に基づきメニュー項目情報を特定し、メニュー項目情報が変更されているとき、詳細情報を再特定し、再抽出し、表示部における第２表示領域に再出力することができる。
したがって、メニュー項目の選択操作における煩わしさや、メニュー項目の選択における指の疲れを解消し、メニュー項目を選択する際の操作性を効率良く高めることが可能となる。
【発明を実施するための最良の形態】
【００１８】
以下、図面を参照しながら、本発明に係る情報表示装置、情報表示方法、情報表示用のコンピュータプログラムの一例について説明する。
本発明に係る情報表示装置（以下、「本装置」という）１０は、少なくとも２以上の表示領域を備える表示部の第１表示領域に、複数のメニュー項目を備えるメニュー画面を表示すると共に、前記表示部の第２表示領域に、前記メニュー画面に含まれるメニュー項目の何れかの内容を示す詳細情報を表示する装置である。
【００１９】
図１は、本装置１０を用いた情報画面表示システム（以下、「本システム」という）の一例を示す概略図である。
本システムは、図１に示すように、本装置１０と、表示部２０と、入力部３０と、によって構成することができる。
表示部２０は、本装置１０より出力した検索結果を表示する表示装置であり、いわゆるディスプレイ（モニタ）である。
入力部３０は、本装置１０に対して各種指示を行う入力装置であり、メニュー画面３１を構成する１又は２以上のメニュー項目選択ボタン等である。
【００２０】
次に、本システムを用いることにより実現される情報出力装置１について説明する。
図２は、本システムを用いることにより実現される情報出力装置を示す概略図である。
図２において、表示部２０上には、入力部３０が積層されたものとなっている。本実施の形態において、入力部３０は、表示部２０上での接触を検知してその座標情報を出力するタッチパネルや、ポインタ選択式のコマンド入力ボタンにより構成されている。
また、図２において、表示部２０は、その右側に第１表示領域２１が設けられ、この第１表示領域２１に隣接して表示部２０の左側に第２表示領域２２が設けられたものとして示されている。
【００２１】
この第１表示領域２１には、複数のメニュー項目を備える入力部３０としてのメニュー画面３１が表示されている。このメニュー画面３１は、メニュー項目Ａボタン３１Ａ、メニュー項目Ｂボタン３１Ｂ、メニュー項目Ｃボタン３１Ｃ、メニュー項目Ｄボタン３１Ｄ、メニュー項目Ｅボタン３１Ｅ、といった各メニュー項目に応じた複数のメニュー項目選択ボタンにより構成されている。
一方、第２表示領域２２には、メニュー画面３１において指定したメニュー項目情報に応じた内容を示す詳細情報が表示されるものとなっている。
【００２２】
次に、本装置１０の構成について説明する。
図３は、本装置の一例を示すブロック構成図である。
本装置１０は、図３に示すように、メニュー情報記憶部Ｆ１と、詳細情報記憶部Ｆ２と、指定位置情報取得部１１と、メニュー項目情報特定部１２と、詳細情報特定部１３と、詳細情報出力部１４と、指定維持情報取得部１５と、制御部１６と、を少なくとも有している。なお、図中の符号１７は、本装置１０において制御信号、データ等を伝送するバスである。
【００２３】
本装置１０は、情報処理装置であればよく、たとえば、モバイルタイプのパーソナルコンピュータをはじめ、ＰＮＤ（Portable Navigation Device）や専用デバイス、携帯電話機などで実現される。また、本装置１０は、図示しないが、ＣＰＵ（中央処理装置）、プログラム記憶部、ＯＳ（オペレーティング・システム）、等を有する。
ＣＰＵは、プログラム記憶部に記憶されたコンピュータプログラムに従い、本装置１０の各構成要素を統制制御し、プログラム処理を実行する手段である。プログラム記憶部は、ＲＯＭ（Read Only Memory）やＲＡＭ（Random Access Memory）等で構成され、本装置１０が使用する各種コンピュータプログラムを記憶している手段である。
【００２４】
メニュー情報記憶部Ｆ１は、表示部２０上での位置情報と、この表示部２０における第１表示領域２１に表示するメニュー画面３１において選択されたメニュー項目を示すメニュー項目情報と、を互いに関連付けて記憶する手段である。ここで、位置情報は、たとえば座標情報とすることができる。また、メニュー項目情報とは、たとえばロードサイドの施設や店舗といったＰＯＩの名称をいう。
図４は、メニュー情報記憶部Ｆ１に記憶されている情報の例を示す図である。
たとえば、図４に示すメニュー情報ファイルでは、表示部２０上における位置情報Ａと、メニュー項目Ａ情報、表示部２０上における位置情報Ｂと、メニュー項目Ｂ情報、等がそれぞれ関連付けてファイルを構成することを示している。したがって、表示部２０上における位置情報が分かれば、メニュー情報記憶部Ｆ１においてメニュー項目情報が分かることになる。
【００２５】
詳細情報記憶部Ｆ２は、メニュー項目情報と、このメニュー項目の内容を示す詳細情報と、を互いに関連付けて記憶する手段である。ここで、詳細情報とは、ＰＯＩが存在する場所の周辺地図や、住所、電話番号、紹介記事等をいう。
図５は、詳細情報記憶部Ｆ２に記憶されている情報の例を示す図である。
たとえば、図５に示す詳細情報ファイルでは、メニュー項目Ａ情報と、施設コード、施設名、地図といったその詳細情報、メニュー項目Ｂ情報と、施設コード、施設名、地図といったその詳細情報、等がそれぞれ関連付けてファイルを構成することを示している。したがって、メニュー項目情報が分かれば、詳細情報記憶部Ｆ２において周辺地図等の詳細情報が分かることになる。
【００２６】
指定位置情報取得部１１は、表示部２０の第１表示領域２１に表示されたメニュー画面上において指定された位置情報を取得する処理を行う。
また、指定位置情報取得部１１は、指定維持情報取得部１５での指定維持情報の取得に応じ、現在指定されている位置情報を再取得する機能を有する。
ここで、メニュー画面上において指定とは、メニュー画面に含まれるメニュー項目上を指や専用ペンでタッチ、又はマウスのポインタを合わせてドラッグすることをいう。
この指定位置情報取得部１１で取得した位置情報は、メニュー項目情報特定部１２及び指定維持情報取得部１５へ送信される。
【００２７】
メニュー項目情報特定部１２は、指定位置情報取得部１１で取得した位置情報に基づき、メニュー情報記憶部Ｆ１を参照してメニュー項目情報を特定する処理を行う。
また、メニュー項目情報特定部１２は、指定位置情報取得部１１で再取得した位置情報に基づき、メニュー情報記憶部Ｆ１を参照してメニュー項目情報を再特定する機能を有する。
このメニュー項目情報特定部１２で特定したメニュー項目情報は、詳細情報特定部１３へ送信される。
【００２８】
詳細情報特定部１３は、メニュー項目情報特定部１２で特定したメニュー項目情報に基づき、詳細情報記憶部Ｆ２を参照して詳細情報を特定し、抽出する処理を行う。
また、詳細情報特定部１３は、メニュー項目情報特定部１２で再特定したメニュー項目情報が変更されているとき、詳細情報記憶部Ｆ２を参照して詳細情報を再特定し、再抽出する機能を有する。
この詳細情報特定部１３で抽出した詳細情報は、詳細情報出力部１４へ送信される。
【００２９】
詳細情報出力部１４は、詳細情報特定部１３で抽出した詳細情報を表示部２０における第２表示領域２２に出力する処理を行う。
また、詳細情報出力部１４は、詳細情報特定部１３で再抽出した詳細情報を表示部２０における第２表示領域２１に再出力する機能を有する。
【００３０】
指定維持情報取得部１５は、指定位置情報取得部１１での位置情報の取得後、その指定状態を解消することなく維持していることを示す指定維持情報を取得する処理を行う。
ここで、指定状態を解消することなく維持しているとは、メニュー画面上においてメニュー項目を指定した指や専用ペンを、そのままメニュー項目上（すなわち、表示部２０の表面）から離すことなく表示部２０との接触状態を維持していること、又はメニュー画面上においてメニュー項目を指定したマウスのポインタを、そのままメニュー項目から離すことなくドラッグ状態を維持していることをいう。
また、接触やドラッグの維持状態は、たとえば電圧や電流、圧力等を示す信号の変化により判断することができる。
【００３１】
制御部１６は、ＣＰＵ、ＲＯＭ、ＲＡＭ等を具備し、プログラム記憶部に記憶されたプログラムに従い、本装置１０の各構成要素を統制制御し、プログラム処理を実行する。
【００３２】
次に、上述した本装置１０により実行される情報表示方法を実施する本装置１０の動作の一例を、図６を参照しながら説明する。
図６は、本装置でのメニュー画面表示処理の一例を示すフローチャートである。
まず、表示部２０にはメニュー画面３１が表示されており、メニュー項目が示された部分を指や専用ペンでタッチ、もしくはマウスのポインタを合わせてドラッグすることにより所望のメニュー項目を指定する。なお、以下においてメニュー項目の指定は、メニュー項目を指でタッチする場合を主として説明する。
【００３３】
メニュー項目を指定すると、指定位置情報取得部１１が、このメインメニュー画面３１において指定された位置情報を取得する（Ｓ１０）。この位置情報は、たとえば表示部２０における左上位置をＸ０，Ｙ０とし、右下位置をＸｎ，Ｙｎとする座標位置情報により特定することができる。
メニュー画面３１におけるメニュー項目の指定は、たとえば図７に示すことができる。図７は、本装置が備えられた情報出力装置の表示部の第１表示領域に表示されたメニュー画面において、第１のメニュー項目を指定する一例を示す模式図である。
図７において、メニュー画面３１における第１のメニュー項目として「上野の森美術館」ボタン３１Ａを指Ｆでタッチすることにより指定されたことが示されている。
【００３４】
なお、表示部２０へのタッチ後に、指や専用ペンを表示部２０の表面から離したり、マウスでのドラッグを解除してクリックしたりすると、指定したメニュー項目が選択（確定）されることになる。したがって、所望のメニュー項目を一つずつ指でタッチ又はクリックして選択する従来とおりの煩わしい操作を行うものとなる。
【００３５】
次いで、メニュー項目情報特定部１２が、指定位置情報取得部１１で取得した位置情報に基づき、メニュー情報記憶部Ｆ１を参照してメニュー項目情報を特定する（Ｓ２０）。
引き続き、詳細情報特定部１３が、メニュー項目情報特定部１２で特定したメニュー項目情報に基づき、詳細情報記憶部Ｆ２を参照して詳細情報を特定し抽出する（Ｓ３０）。
そして、詳細情報出力部１４が、詳細情報特定部１３で抽出した詳細情報を、表示部２０における第２表示領域２２に表示されるように出力する（Ｓ４０）。
図７において、詳細情報は、第１のメニュー項目として指定した上野の森美術館付近の周辺地図が示されるものとなっている。
【００３６】
次に、指定維持情報取得部１５が、指定位置情報取得部１１での位置情報の取得後、その指定状態を解消することなく維持していることを示す指定維持情報を取得しているか否かを判断する（Ｓ５０）。すなわち、表示部２０へのタッチ後に指や専用ペンを表示部２０から離さずにタッチした接触状態を維持しているか、又はマウスのポインタを合わせてクリックせずにドラッグした状態を維持しているかを確認する。
【００３７】
その結果、指定維持情報取得部１５が指定維持情報を取得していると判断した場合（Ｙ）、次いで、指定位置情報取得部１１が、指定維持情報取得部１５での指定維持情報の取得に応じ、現在指定されている位置情報を再取得して、変更されたか否かをする（Ｓ６０）。
一方、指定維持情報取得部１５が指定維持情報を取得していない場合（Ｎ）、そのまま本装置１０での一連の動作が終了する。すなわち、表示部２０へのタッチ後に指や専用ペンを表示部２０から離した場合や、マウスのポインタを合わせてクリックしていると、従来技術において説明したとおりの操作となる。
【００３８】
指定位置情報取得部１１が、再取得した位置情報が変更されたと判断した場合（Ｙ）、引き続き、メニュー項目情報特定部１２が、指定位置情報取得部１１で再取得した位置情報に基づき、メニュー情報記憶部Ｆ１を参照してメニュー項目情報を再特定して、変更されたか否かをする（Ｓ７０）。
一方、指定位置情報取得部１１が、再取得した位置情報が変更されていないと判断した場合（Ｎ）、再度、指定維持情報取得部１５が、指定位置情報取得部１１での位置情報の取得後、その指定状態を解消することなく維持していることを示す指定維持情報を取得しているか否か判断を繰り返す（Ｓ５０）。
【００３９】
また、メニュー項目情報特定部１２が、再特定したメニュー項目情報が変更されたと判断した場合（Ｙ）、引き続き、詳細情報特定部１３が、メニュー項目情報特定部１２で再特定したメニュー項目情報に基づき、詳細情報記憶部Ｆ２を参照して詳細情報を再特定し再抽出する（Ｓ８０）。
一方、メニュー項目情報特定部１２が、再特定したメニュー項目情報が変更されていないと判断した場合（Ｎ）、再度、指定維持情報取得部１５が、指定位置情報取得部１１での位置情報の取得後、その指定状態を解消することなく維持していることを示す指定維持情報を取得しているか否か判断を繰り返す（Ｓ５０）。
【００４０】
そして、詳細情報出力部１４が、詳細情報特定部１３で再抽出した詳細情報を、表示部２０における第２表示領域２２に表示されるように出力する（Ｓ９０）。
この場合、出力される詳細情報としては、図８乃至図１１に示すことができる。
まず、図８は、表示部に表示されたメニュー画面において第２のメニュー項目を指定する一例を示す模式図である。
すなわち、図８において、第１のメニュー項目である「上野の森美術館」の指定後、表示部２０上から指Ｆを離さずに、第２のメニュー項目として「横山大観記念館」ボタン３１Ｂ上へ移動することによって再指定されたとき、再指定した横山大観記念館付近の周辺地図が、詳細情報として第２表示領域２２に表示されることが示されている。
【００４１】
また、図９は、表示部に表示されたメニュー画面において第３のメニュー項目を指定する一例を示す模式図である。
すなわち、図９において、第１のメニュー項目である上野の森美術館、及び第２のメニュー項目である横山大観記念館の指定後、表示部２０上から指Ｆを離さずに、第３のメニュー項目として「東京国立博物館」ボタン３１Ｃ上へ移動することによって再指定されたとき、再指定した東京国立博物館付近の周辺地図が、詳細情報として第２表示領域２２に表示されることが示されている。
【００４２】
また、図１０は、表示部に表示されたメニュー画面において第４のメニュー項目を指定する一例を示す模式図である。
すなわち、図１０において、第１のメニュー項目である上野の森美術館、第２のメニュー項目である横山大観記念館、及び第３のメニュー項目である東京国立博物館の指定後、表示部２０上から指Ｆを離さずに、第４のメニュー項目として「日本玩具資料館」ボタン３１Ｄ上へ移動することによって再指定されたとき、再指定した日本玩具資料館付近の周辺地図が、詳細情報として第２表示領域２２に表示されることが示されている。
【００４３】
さらに、図１１は、表示部に表示されたメニュー画面において第５のメニュー項目を指定する一例を示す模式図である。
すなわち、図１１において、第１のメニュー項目である上野の森美術館、第２のメニュー項目である横山大観記念館、第３のメニュー項目である東京国立博物館、及び第４のメニュー項目である日本玩具資料館の指定後、表示部２０上から指Ｆを離さずに、第５のメニュー項目として「国立科学博物館」ボタン３１Ｅ上へ移動することによって再指定されたとき、再指定した国立科学博物館付近の周辺地図が、詳細情報として第２表示領域２２に表示されることが示されている。
【００４４】
以上のように、詳細情報出力部１４が、詳細情報特定部１３で再抽出した詳細情報を、表示部２０における第２表示領域２２に出力した後、再度、指定維持情報取得部１５が、指定維持情報を取得しているか否か判断し、上述したこれ以降の動作を、指定維持情報取得部１５が指定維持情報を取得していないと判断されるまで順次繰り返す。
【００４５】
すなわち、本装置１０においては、メニュー項目上を指でタッチし、接触状態を維持する（ドラッグする）ことでメニュー項目を指定している間は、選択するメニュー項目に応じた詳細情報の表示を自由に変更することができる。
【００４６】
また、指定維持情報取得部１５が指定維持情報を取得しておらず、メニュー項目が選択されたと判断される場合としては、図１２に示すことができる。
図１２は、表示部に表示されたメニュー画面においてメニュー項目を選択する一例を示す模式図である。
すなわち、図１２において、第３のメニュー項目である国立博物館の指定後、指Ｆでタッチすることを解消し、すなわち、表示部２０から指Ｆを離すことにより、指定した国立博物館のメニュー項目が選択（確定）され、その付近の周辺地図が、詳細情報として第２表示領域２２に表示されることが示されている。
これにより、本装置１０での一連の動作が終了する。
なお、これら一連の処理は、制御部１８での統制制御により実行される。
【００４７】
以上のように本実施の形態では、メニューリスト上においてメニュー項目を指でタッチし、そのまま指を離さずにスライドすることで、指が位置するメニュー項目の詳細情報をそれぞれ見ることができるようになる。すなわち、メニューリスト上においてタッチされているメニュー項目に相当する、たとえば施設周辺の地図等の詳細情報を表示し、さらにその状態のまま他の選択肢となるメニュー項目上にタッチ位置を変える事で、表示される地図等の詳細情報も連動させて変更表示することができる。
したがって、ユーザが施設を選択する際、本当にその施設を選択して良いか詳細情報を見てから決めることが可能となり、ユーザの操作性が高めることができる。
【産業上の利用可能性】
【００４８】
本発明は、少なくとも２以上の表示領域を備える表示部の第１表示領域に、複数のメニュー項目を備えるメニュー画面を表示すると共に、前記表示部の第２表示領域に、前記メニュー画面に含まれるメニュー項目の何れかの内容を示す詳細情報を表示する機能を備えたデバイスを扱う業種において産業上有用であり、メニューの指定によって電子地図上に所望のＰＯＩ情報の表示を可能とするカーナビゲーション装置等の電化製品市場においても有用である。
【図面の簡単な説明】
【００４９】
【図１】本発明に係る情報表示装置を用いた詳細情報表示システムの一例を示す概略図である。
【図２】本発明に係る情報表示装置を詳細情報表示システムに用いることにより実現される情報出力装置を示す概略図である。
【図３】本発明に係る情報表示装置の実施形態の一例を示すブロック構成図である。
【図４】本発明に係る情報表示装置が備える記憶部に記憶されているメニュー情報ファイルの構造を示す一例である。
【図５】本発明に係る情報表示装置が備える記憶部に記憶されている詳細情報ファイルの構造を示す一例である。
【図６】本発明に係る情報表示装置での詳細情報表示処理の一例を示すフローチャートである。
【図７】本発明に係る情報表示装置が備えられた情報出力装置の表示部に表示されたメニュー画面において第１のメニュー項目を指定する一例を示す模式図である。
【図８】本発明に係る情報表示装置が備えられた情報出力装置の表示部に表示されたメニュー画面において第２のメニュー項目を指定する一例を示す模式図である。
【図９】本発明に係る情報表示装置が備えられた情報出力装置の表示部に表示されたメニュー画面において第３のメニュー項目を指定する一例を示す模式図である。
【図１０】本発明に係る情報表示装置が備えられた情報出力装置の表示部に表示されたメニュー画面において第４のメニュー項目を指定する一例を示す模式図である。
【図１１】本発明に係る情報表示装置が備えられた情報出力装置の表示部に表示されたメニュー画面において第５のメニュー項目を指定する一例を示す模式図である。
【図１２】本発明に係る情報表示装置が備えられた情報出力装置の表示部に表示されたメニュー画面においてメニュー項目を選択する一例を示す模式図である。
【符号の説明】
【００５０】
Ｆ１  メニュー情報記憶部、Ｆ２  詳細情報記憶部、１０  情報表示装置、１１  指定位置情報取得部、１２  メニュー項目情報特定部、１３  詳細情報特定部、１４  詳細情報出力部、１５  指定維持情報取得部、１６  制御部、２０  表示部、３０  入力部。
【図１】
2009258930.tif 000003
【図２】
2009258930.tif 000004
【図３】
2009258930.tif 000005
【図４】
2009258930.tif 000006
【図５】
2009258930.tif 000007
【図６】
2009258930.tif 000008
【図７】
2009258930.tif 000009
【図８】
2009258930.tif 000010
【図９】
2009258930.tif 000011
【図１０】
2009258930.tif 000012
【図１１】
2009258930.tif 000013
【図１２】
2009258930.tif 000014